(57)【特許請求の範囲】
【請求項１】
２枚の表裏フィルム及び２つ折りにした底部フィルムの３枚のフィルムにより構成されており、前記表裏フィルム及び前記底部フィルムが、サイドシール部及びボトムシール部でシールされて成るパウチにおいて、
少なくともボトムシール部が存在する位置に、前記サイドシール部を折り曲げた折り返し部が形成されていると共に、前記ボトムシール部下部に、前記サイドシール部よりも内方において、表裏のボトムシール部を固定し、前記表裏フィルムの張出角度の変曲点となる固定部が更に形成されていることを特徴とするパウチ。
【請求項２】
前記固定部は、折り返し部よりも内側、且つボトムシール部の下方に、ボトムシール部同士を接着した接着部により形成されている請求項１記載のパウチ。
【請求項３】
前記固定部は、パウチ下方に行くに従って、パウチの幅を狭めるように斜めに折り曲げた折り返し部により形成されている請求項１記載のパウチ。
【請求項４】
前記折り返し部のボトムシール部の上端に位置する箇所に、折り返し部の端縁から内方に向かって延びるスリット又は切り欠きが形成されている請求項１〜３の何れかに記載のパウチ。
【請求項５】
前記スリットが、折り返し部に複数個平行に形成されている請求項４記載のパウチ。
【請求項６】
前記ボトムシール部の下方、且つ前記固定部よりもパウチ内方に、スリット又は切欠きが形成されている請求項１〜５の何れかに記載のパウチ。
【発明の詳細な説明】
【技術分野】
【０００１】
本発明は、パウチに関するものであり、より詳細には、底部フィルムが開いた状態を保持可能であり、自立安定性に優れたパウチに関する。
【背景技術】
【０００２】
樹脂フィルムを重ね合わせ、端部をシールして成る袋状容器（パウチ）は、従来より、洗剤やシャンプー等の日用品や、調味料等の食料品等の各種用途に広く使用されている。このような袋状容器に自立性を持たせるべく、２枚の表裏フィルムの間に２つ折りにした底部フィルムを介在させ、サイドシール部及びボトムシール部によりシールして成るパウチも広く知られている。
このようなパウチにおいては、内容物が満中状態の場合には、２枚の表裏フィルム同士が離間すると共に底部フィルムが開き、パウチが立体状態を維持することから、安定した自立性が確保されているとしても、内容物が減少すると平面状態に復元しようとして、自立性を維持することが困難であった。
例えば、パウチの自立性を確保するために、サイドシール部とボトムシール部が重なる部分に、底部の開き形状を調整するポイントシール部が形成されたものが提案されている（特許文献１）。
【０００３】
また、パウチの自立性は確保されているとしても、パウチを構成する樹脂フィルムが可撓性を有するものであることから、自立した状態において表裏フィルムに折れや座屈等を生じやすいという問題がある。このような問題を解決するために、例えば、パウチのサイドシール部をサイドシール部に沿った折り曲げ線で折り曲げた折り返し部を形成して成るパウチが提案されている（特許文献２及び３等）。
【先行技術文献】
【特許文献】
【０００４】
【特許文献１】特開２００３−１３７３１８号公報
【特許文献２】国際公開第２００８／００１８２９号
【特許文献３】特開２０１２−１９２９５８号公報
【発明の概要】
【発明が解決しようとする課題】
【０００５】
しかしながら、上記特許文献１に記載されたようなポイントシール部だけでは、内容物の量が減少した場合に、底部フィルムの開きを充分に維持することは困難である。
また、上記特許文献２及び３に記載されたようなパウチの両端部に折り返し部が形成されたパウチにおいては、折り返し部の存在により、パウチの側端部に剛性が付与されることから、表裏フィルムの折れや座屈等は有効に防止できるとしても、やはり底部フィルムが開いた状態を維持することは容易ではなく、特にパウチをつかんだ時にパウチの底部フィルムが閉じやすいという問題があった。
従って、本発明の目的は、底部フィルムが開いた状態を安定して保持可能であり、自立安定性に優れたパウチを提供することである。
【課題を解決するための手段】
【０００６】
本発明によれば、２枚の表裏フィルム及び２つ折りにした底部フィルムの３枚のフィルムにより構成されており、前記表裏フィルム及び前記底部フィルムが、サイドシール部及びボトムシール部でシールされて成るパウチにおいて、少なくともボトムシール部が存在する位置に、前記サイドシール部を折り曲げた折り返し部が形成されていると共に、前記ボトムシール部下部に、前記サイドシール部よりも内方において、表裏のボトムシール部を固定し、前記表裏フィルムの張出角度の変曲点となる固定部が更に形成されていることを特徴とするパウチが提供される。
【０００７】
本発明のパウチにおいては、
１．前記固定部は、折り返し部よりも内側、且つボトムシール部の下方のボトムシール部同士を接着した接着部により形成されていこと、
２．前記固定部は、パウチ下方に行くに従って、パウチの幅を狭めるように斜めに折り曲げた折り返し部により形成されていること、
３．前記折り返し部のボトムシール部の上端に位置する箇所に、折り返し部の端縁から内方に向かって延びるスリット又は切り欠きが形成されていること、
４．前記スリットが、折り返し部に複数個平行に形成されていること、５．前記ボトムシール部の下方、且つ前記固定部よりもパウチ内方に、スリット又は切欠きが形成されていること、
が好適である。
【発明の効果】
【０００８】
本発明のパウチにおいては、少なくともボトムシール部が存在する部分に折り返し部が形成されていることから、パウチの側端部下部に剛性が付与されており、底部のフィルムが広がった状態を維持しやすい。しかも、ボトムシール部下部において、サイドシール部よりも内側に表裏のボトムシール部が固定されていることにより、この部分における表裏フィルムの外方への張り出し角度を大きくすることができ、内容物が充填されて底部フィルムが広がった状態における、ボトムシール部の下部における表裏フィルムの外方への湾曲の程度を、ボトムシール部上端部よりも上方における表裏フィルムよりも大きくすることができる。この結果、底部フィルムが開いた状態を維持しやすく、内容物の量が減少した場合にも、表裏フィルムが横方向断面の外方に張り出した状態を安定して維持することができる。
すなわち、パウチの底部にボトムシール同士を接着した接着部、或いは、折り返し部がパウチ下方に行くに従って、パウチの幅を狭めるように斜めに折り曲げた折り返し部等によって固定部が形成されることで、ボトムシール部の下部における表裏フィルムの外方への張り出し角度を、ボトムシール部の上端よりも上方における表裏フィルムの外方への張り出し角度よりも大きくすることができ、底部フィルムの開きを維持することができる。
【０００９】
また、折り返し部のボトムシール部の上端に位置する箇所に、折り返し部の端縁から内方に向かって延びるスリット又は切り欠きを、一つ又は複数個平行に形成すること、或いはボトムシール部の下方に且つ前記固定部よりもパウチ中心側に、スリット又は切欠きが形成されていることにより、パウチの下方における表裏フィルムの外方への大きな張り出しの形成及びその維持がより容易になり、パウチの平面状態への復元を有効に抑制できる。
【図面の簡単な説明】
【００１０】
【図１】本発明のパウチの一例を説明するための図であり、（Ａ）はパウチを製造するための基本パウチを示す正面図、（Ｂ）はこの基本パウチから作成されたパウチの正面図を示す。
【図２】図１に示すパウチに内容物を充填した状態を示す図であり、（Ａ）は正面図、（Ｂ）は（Ａ）のＸ−Ｘ断面図、Ｙ−Ｙ断面図を示す。
【図３】本発明のパウチの他の一例を説明するための図であり、（Ａ）はパウチを製造するための基本パウチを示す正面図、（Ｂ）はこの基本パウチから作成されたパウチの背面図を示す。
【図４】本発明のパウチの他の一例を示す正面図である。
【図５】本発明のパウチの他の一例を示す正面図である。
【図６】スリットの形成を説明するための図である。
【発明を実施するための形態】
【００１１】
図１（Ａ）に示す、本発明のパウチを製造するための基本のパウチ１は、表フィルム２ａ，裏フィルム２ｂ、及び２つ折りにして表裏フィルム２ａ，２ｂ（図において、２ａが表側、２ｂが裏側に位置する）の間に挟まれている底部フィルム３、がサイドシール部４ａ，４ｂ及びボトムシール部５ａ，５ｂ（図において、５ａが表フィルム２ａと接合される表側、５ｂが裏フィルム２ｂを接合される裏側に位置する）で一体化され、上部には内容物の充填するための開口部６が形成されている。
尚、２つ折りにされた底部フィルム３の両端部には、切り欠き７ａ，７ｂが形成されており、この切り欠き７ａ，７ｂの部分で表裏フィルム２ａ，２ｂが接着されることにより、ボトムシール部５ａ，５ｂがその部分で一体化されている。
【００１２】
本発明においては、このパウチ１のボトムシール部５ａ，５ｂのサイドシール部４ａ、４ｂよりも内側で、且つボトムシール部５ａ，５ｂの下端に、ボトムシール部５ａ，５ｂを接着した接着部８ａ，８ｂからなる固定部が形成されている。この接着部８ａ，８ｂが形成されていることにより、パウチ１の底部は、接着部８ａ，８ｂの間のボトムシール部５ａ，５ｂでのみ開くようになる。
そして、このパウチ１のサイドシール部４ａ，４ｂに沿った折り曲げ線９ａ，９ｂで、サイドシール部４ａ、４ｂを折り曲げることにより、折り返し部１０ａ，１０ｂを形成することにより本発明のパウチ１１が得られる（図１（Ｂ）参照）。
【００１３】
図２（Ａ）は、図１（Ｂ）に示したパウチ１１に内容物を充填した状態を示す図であり、図２（Ｂ）の（ア）は、図２（Ａ）に示すボトムシール部５ａ，５ｂの上端５ｃよりも上方におけるパウチの横断面（Ｘ−Ｘ断面）であり、図２（Ｂ）の（イ）は、図２（Ａ）のパウチの底面（Ｙ−Ｙ面）をそれぞれ示す。
この図２から明らかなように、内容物が充填された状態では、表裏フィルム２ａ，２ｂはそれぞれ外方に張り出した（膨らんだ）状態になり、底部フィルム３が内容物の重みで広がる。そして、ボトムシール部５ａ，５ｂの上端５ｃよりも上方の部分に比して、ボトムシール部５ａ，５ｂが存在する部分においては外方への張り出し量が大きく、しかもボトムシール部の下端（すなわち、パウチの下端）に接着部８ａ，８ｂからなる固定部が形成されていることから、図２（Ｂ）に示すように、パウチの下端における表裏フィルムの張り出し角度θ２は、パウチ上方の張り出し角度θ１よりも大きく、接着部８ａ，８ｂが変曲点となって、表裏フィルム２ａ，２ｂの張り出した状態を維持することができ、底部フィルム３が元の平面状態に復元することを有効に防止することが可能になる。
【００１４】
図３（Ａ）に示す、本発明の他の一例のパウチを製造するための基本のパウチ２１は、図１（Ａ）に示したパウチ１とほぼ同様であるが、ボトムシール部５の上端５Ｃの位置に切り欠き２２ａ，２２ｂが形成され、この切り欠き２２ａ，２２ｂより下方のサイドシール部４ａ’，４ｂ’は下方に行くにしたがって、パウチの幅を減少させるように形成されている。
このパウチ２１のサイドシール部４ａ，４ｂ及び４ａ’，４ｂ’に沿った折り曲げ線９ａ，９ｂ及び９ａ’，９ｂ’で、サイドシール部４ａ，４ｂを折り曲げ、折り返し部１０ａ，１０ｂ及び１０ａ’，１０ｂ’を形成することにより本発明のパウチ２４が得られる（図３（Ｂ）参照）。
このパウチ２４においては、ボトムシール部５が存在する部分に形成された折り返し部１０ａ’、１０ｂ’が、パウチ下方に行くに従って、パウチの幅を狭めるように斜めに折り曲げられていることにより、図１に示したパウチの下端の接着部８ａ，８ｂが形成されている場合と同様に、折り返し部１０ａ’、１０ｂ’からなる固定部が形成され、パウチの下端における表裏フィルムの張り出し角度が、ボトムシール部５の上端５ｃよりも上方の表裏フィルムの張り出し角度よりも大きくなり、底部フィルム３の開きが元の平面状態に復元することを有効に防止することが可能になる。
尚、他の一例のパウチとして、パウチ２１を用いて説明したが、図１（Ａ）に示すパウチ１を、パウチ下方に行くに従って、パウチの幅を狭めるように斜めに折り曲げて折り返し部１０ａ’，１０ｂ’を形成してもよい。
また、パウチを自立させることができる底フィルム３の開きを確保できれば、固定部は、ボトムシール部５の下部のどこに形成しても良いが、図３（Ａ）に示すボトムシール部５上端の接線と近似した折り曲げ線９ａ’，９ｂ’よりサイトシール部４側に折り返し部１０ａ’、１０ｂ’または、接着部８ａ，８ｂにて形成することが好ましい。
【００１５】
図４（Ａ）は、図１に示したパウチ１１において、折り返し部１０ａ，１０ｂのボトムシール部５の上端５ｃよりも下方に、複数個のスリット２６，２６・・・が形成された例である。
このスリット２６，２６・・・が開くことにより、パウチ側端部下端２７，２７がパウチ内側の斜め下方に可動し、表裏フィルムが接着部８ａ，８ｂからなる固定部を変曲点としてより大きく外方に張り出すことが可能になり、底部フィルム３が元の平面状態に復元することを有効に防止することが可能になる。尚、この態様において、スリット２６は一つでもよいが、複数設けることにより、スリットが蛇腹状に広がり、パウチ側部下端の可動域が大きくなり、表裏フィルムの張り出し角度を大きくすることができる。
また図４（Ｂ）は、図４（Ａ）に示したパウチにおいて、複数個のスリットの代わりに切り欠き２８ａ，２８ｂを設けると共に、接着部８ａ，８ｂよりも内側にも切り欠き２９ａ，２９ｂを設けた例である。
この切り欠き２８ａ，２８ｂ及び２９ａ，２９ｂが形成されていることにより、図に示すように、切り欠き２８ａと切り欠き２９ａを結んだラインＬ１、切り欠き２８ｂと切り欠き２９ｂを結んだラインＬ２が形成され、内容物を充填すると、このラインに沿って表裏フィルムが立体的に張り出して、大きく湾曲させることが可能になり、底部フィルム３が元の平面状態に復元することを有効に防止することが可能になる。
そして、この場合、少なくとも切り欠き２８ａ，２８ｂが設けられていれば良いが、前述した底部フィルム３の平面状態への復元を有効に防止するため、切り欠き２９ａ，２９ｂも設けることが好ましい。
【００１６】
図５（Ａ）は、図１に示したパウチ１１において、ボトムシール部５（５ａ，５ｂ）に、接着部８ａ，８ｂからなる固定部に隣接すると共に、接着部８ａ，８ｂよりもパウチ中心側の位置に、ボトムシール部５ａ，５ｂを貫通する円弧状のスリット３０ａ，３０ｂが形成された例である。
この円弧状のスリット３０ａ，３０ｂが形成されていることにより、表裏フィルムがスリット３０ａ、３０ｂの部分で、接着部８ａ、８ｂに対してほぼ直角の張り出し角度で外方へ張り出すことが可能になり、ボトムシール部５が位置する箇所の表裏フィルムを大きく湾曲させることが可能になり、底部フィルム３が元の平面状態に復元することを有効に防止することができる。
また図５（Ｂ）は、図５（Ａ）において、接着部（固定部）をそれぞれ８ａ１，８ａ２及び８ｂ１，８ｂ２の２個ずつ外側から中心に向かって斜め下方に位置するように配列し、この接着部８ａ１，８ａ２及び接着部８ｂ１，８ｂ２の上方に、接着部８ａ１，８ａ２及び８ｂ１，８ｂ２の並びに沿った斜め方向スリット３０ａ，３０ｂが形成されている。
この例においては、前述した図４（Ｂ）の例と同様に、スリット３０ａ，３０ｂに沿って表裏フィルムが立体的に張り出すため、ボトムシール部５が存在する箇所において、表裏フィルムを大きな張り出し角度で湾曲させることが可能になり、底部フィルム３が元の平面状態に復元することを有効に防止することが可能になる。
【００１７】
本発明のパウチにおいては、底部フィルムが広がった状態において、ボトムシール部の下部における表裏フィルムの張り出し角度を大きくすることができる限り、上述した具体例に限定されない。
例えば、図に示す具体例においては、折り返し部は、パウチの高さ方向のほぼ全域で形成されており、これにより、パウチに剛性が付与され、パウチの折れや座屈等が有効に防止されるので好適であるが、少なくともボトムシール部の位置に形成されていれば、パウチの側部下端が内側に入り込むように作用して、ボトムシール部に位置する表裏フィルムの張り出しを補助できる。また、ボトムシール部が存在する箇所のみ１重の折り返し部とし、ボトムシール部上端よりも上方を多重の折り返し部としてもよい。
また、折り返し部は、折り曲げ線に沿って折り曲げた後、更に折り曲げて成る多重の折り返し部であってもよい、これにより、サイドシール部の端縁がパウチの外側に位置しないと共に、パウチの剛性が増すため、自立安定性が向上する。
更に、図４に示した例においては、折り返し部を形成した後にスリットを形成することもできるが、折り返し部を形成する前に、図６に示すように、折り曲げ線の両側に千鳥状にスリットを設けておくことにより、折り返し部に容易にスリットを形成でき、千鳥状のため、スリットの開きが固定されやすくなる。その結果、パウチ側端部下端をパウチ内側の斜め下方に移動させ、安定して表裏フィルムが張り出すことができる。
更にまた、図５に示した例においては、接着部の形状及び個数は、図に示した例に限定されず、円形のみならず、ライン状やミシン目状等種々の形状を採用できる。
【００１８】
本発明のパウチは、従来公知のパウチに使用される樹脂フィルムから成るパウチを使用することができ、これに限定されないが、ヒートシール性を有する熱可塑性樹脂からなる単層フィルム、或いはこれらのヒートシール性を有する熱可塑性樹脂フィルムをパウチの内層とし、他のフィルムを積層した２層以上の層構成を有する積層フィルムを使用することができる。
ヒートシール性を有する熱可塑性樹脂としては、例えば低密度ポリエチレン、線状低密度ポリエチレン、中密度ポリエチレン、高密度ポリエチレン、ポリプロピレン、プロピレン−エチレン共重合体、エチレン−酢酸ビニル共重合体、エチレン系不飽和カルボン酸乃至その無水物でグラフト変性されたオレフィン樹脂等のオレフィン系樹脂、アイオノマー樹脂、比較的低融点乃至低軟化点のポリアミド乃至コポリアミド樹脂、ポリエステル乃至コポリエステル樹脂等を挙げることができる。
積層フィルムとしては、ヒートシール性熱可塑性樹脂から成るフィルムをパウチの内層とし、種々の熱可塑性樹脂、アルミニウム箔等の金属箔、或いは紙やセロハン等を外層或いは中間層として使用することができる。またパウチにガスバリア性を付与する場合には、エチレンビニルアルコール共重合体、ナイロン又は環状オレフィンコポリマー等のガスバリア性樹脂から成る層、アルミニウムや酸化珪素などの金属酸化物蒸着膜を有する樹脂層、粘土鉱物を含有する樹脂層、アルミニウム等の金属箔を含む従来公知の積層フィルムを使用できる。
本発明においては、アルミニウム箔等の金属箔を有する積層フィルムを好適に使用でき、これにより、表裏フィルムの剛性が向上し、内容物が減少した後においても表裏フィルムの張り出した状態が維持されやすい。また図４に示した態様においても、スリットの開きや形成されたラインＬが戻りにくいという点でも有利である。
【符号の説明】
【００１９】
１  基本パウチ、２  表裏フィルム、３  底部フィルム、４  サイドシール部、５  ボトムシール部、６  開口部、７  切り欠き、８  接着部、９  折り曲げ線、１０  折り返し部。
【図１】
0006424561.tif 000002
【図２】
0006424561.tif 000003
【図３】
0006424561.tif 000004
【図４】
0006424561.tif 000005
【図５】
0006424561.tif 000006
【図６】
0006424561.tif 000007